(57)【要約】【課題】ニ方向に設けられた出入口の鍵の施錠や、その解除を忘れることなく確実に行なうことができて、簡単な構造ゆえに施工コストを抑制することが可能なニ方向出入型便所を提供する。【解決手段】壁１１ａ〜１１ｄと扉で囲まれた室内に少なくとも便器１６が一つ設けられ、ニ方向に出入口１３、１４を有する便所において、複数枚の縦スラットが連結されてなる湾曲自在な横引きシャッター１２がニ方向の出入口を同時に閉じることができるように両出入口間に連続して設けられ、横引きシャッターの移動経路にはガイド部材２０が設けられ、横引きシャッターは両方の出入口でそれぞれ施錠が可能なように鍵が設けられた。【選択図】　　　図１
2004092137.tif 000002
【特許請求の範囲】
【請求項１】
壁と扉で囲まれた室内に少なくとも便器が一つ設けられ、二方向に出入口を有する便所において、複数枚の縦スラットが連結されてなる湾曲自在な横引きシャッターが前記二方向の出入口を同時に閉じることができるように両出入口間に連続して設けられ、該横引きシャッターの移動経路にはガイド部材が設けられ、前記横引きシャッターは前記両方の出入口でそれぞれ施錠が可能なように鍵が設けられたことを特徴とする二方向出入型便所。
【請求項２】
壁と扉で囲まれた内側に一つの便器を備える少なくとも一つの小室を、男性のための区画と女性のための区画との中間に配置して該小室により両区画を仕切り、前記小室には前記両区画の二方向からそれぞれ出入ができるように出入口を設け、複数枚の縦スラットが連結されてなる湾曲自在な横引きシャッターを前記二方向の出入口を同時に閉じることができるように両出入口間に連続して設け、該横引きシャッターの移動経路にはガイド部材が設けられ、前記横引きシャッターは前記両方の出入口でそれぞれ施錠が可能なように鍵が設けられたことを特徴とする男女兼用型便所。
【発明の詳細な説明】
【０００１】
【発明が属する技術分野】
本発明は、少なくとも便器が一つ設けられた室内の二方向に出入口を有する二方向出入型便所および男女兼用型便所に関する。
【０００２】
【従来の技術】
近年、老人保健施設及び特別養護老人ホームでは個室化の傾向があり、施設を居住の場として捉え、１０人前後を１グループとして一般家庭に近い環境で介護を行なうユニットケアが提案されている。このような施設では、便所も分散化される傾向にあり、便所は各居室ごとに一ヶ所ずつ設けることが好ましいのであるが、施工コスト、メンテナンスの手間、面積的な制約等があるため、二つ或いは三つの個室に対し、一ヶ所の便所を設置することが提案されている。図５は、このような施設の平面図であり、居間と食堂を囲んで１０の個室が配置され、二つ或いは三つの個室の間に便所が配置されている。
【０００３】
図６（ａ）〜（ｆ）に例示した便所５０は、壁５１で囲まれた室内に便器５６と洗面台５７が設けられ、壁５１の二方向に開口部５４，５５が形成され、各開口部５４，５５に引戸５２，５３が設けられ、丸く点線で囲んだ各引戸５２，５３の二箇所５８，５９に鍵が取り付けられている。
かかる便所５０を使用する場合、図６（ａ）のように引戸５２を開いて室内に入り、図６（ｂ）（ｃ）のように両方の引戸５２，５３の鍵を施錠する。これにより、便所５０を使用中である図６（ｄ）では、両方の引戸５２，５３は外部から開けることができなくなる。便所５０の使用後は、両方の鍵の施錠を解除し、一方の引戸５２から外に出るのであるが、引戸５３の鍵は進行方向の逆側にあるため、解除を忘れて出てしまうことがある。この場合、図６（ｅ）（ｆ）のように引戸５２の鍵のみが解除されており、逆側の引戸５３の鍵は施錠されているので、引戸５３側から便所５０に入ることができず、他の引戸５２側に廻らなければならない。
【０００４】
以上のような二方向に出入口を有する便所では、入出時に二箇所の鍵を施錠および解除しなければならず、鍵の操作が煩雑である。そのため、電気錠などのシステムを使用し、一方の鍵が他方の鍵に連動して開閉するように構成することも考えられているが、このようなシステムを全ての便所に設けた場合、施工コストが高くなるという新たな問題を生じる。
【０００５】
【発明が解決しようとする課題】
本発明は上記のような問題点を解決するためになされたものであり、その課題は、二方向に設けられた出入口の鍵の施錠やその解除を忘れることなく確実に行なうことができて、簡単な構造ゆえに施工コストを抑制することが可能な二方向出入型便所を提供することにある。
【０００６】
また本発明の別の課題は、男女異なる方向から出入りすることができるように二方向に出入口が設けられ、この二方向の出入口の鍵の施錠やその解除を忘れることなく確実に行なうことができて、簡単な構造ゆえに施工コストを抑制することが可能である男女兼用型便所を提供することにある。
【０００７】
【課題を解決するための手段】
本発明によれば、壁と扉で囲まれた室内に少なくとも便器が一つ設けられ、二方向に出入口を有する便所において、複数枚の縦スラットが連結されてなる湾曲自在な横引きシャッターが前記二方向の出入口を同時に閉じることができるように両出入口間に連続して設けられ、該横引きシャッターの移動経路にはガイド部材が設けられ、前記横引きシャッターは前記両方の出入口でそれぞれ施錠が可能なように鍵が設けられたことを特徴とする二方向出入型便所が提供される。
本発明の二方向出入型便所では、横引きシャッターが二方向の出入口間に連続するように設けられ、横引きシャッターの移動経路にはガイド部材が設けられ、両方の出入口に鍵が設けられているので、いずれか一方の鍵を施錠するだけで、横引きシャッターはガイド部材に沿った移動が不可能になり、開けることができなくなる。したがって、室外に出るときの施錠解除は忘れられることなく確実に行なわれ、しかも、電気錠のように複雑かつ高価なシステムを必要としないため、メンテナンスの手間や施工コストも抑制することができる。
また二方向出入型便所において、いずれか一方の鍵を施錠するだけで、横引きシャッターは開けられなくなるものであるが、使用に際して両方の出入口の鍵を施錠したような場合にも、一方の鍵を解除するだけでは、横引きシャッターを開くことはできないため、鍵の解除忘れは確実に防止される。
【０００８】
また本発明では、壁と扉で囲まれた内側に一つの便器を備える少なくとも一つの小室を、男性のための区画と女性のための区画との中間に配置して該小室により両区画を仕切り、前記小室には前記両区画の二方向からそれぞれ出入ができるように出入口を設け、複数枚の縦スラットが連結されてなる湾曲自在な横引きシャッターを前記二方向の出入口を同時に閉じることができるように両出入口間に連続して設け、該横引きシャッターの移動経路にはガイド部材が設けられ、前記横引きシャッターは前記両方の出入口でそれぞれ施錠が可能なように鍵が設けられたことを特徴とする男女兼用型便所が提供される。
本発明の男女兼用型便所では、男性のための区画と女性のための区画との中間に少なくとも一つの二方向出入型便所ブース、すなわち、壁と扉で囲まれた内側に一つの便器を備える少なくとも一つの小室が設けられ、この小室により両区画が仕切られ、この小室に両区画から別々に出入りができるように二方向の出入口が設けられているので、男性と女性が顔を合わせることなく、同じ便所ブースを共用することが可能になった。また男女兼用型便所のブースにおける鍵の解除忘れは、上記二方向出入型便所と同様に確実に防止される。
【０００９】
【発明の実施の形態】
以下、添付図面を参照して本発明の好適な実施形態を説明する。
図１は本発明の二方向出入型便所１０の平面図であり、（ａ）は二方向の出入口を閉鎖した状態、（ｂ）は一方の出入口１４を開いた状態、（ｃ）は他方の出入口１３を開いた状態を示している。図１（ａ）〜（ｃ）において、壁１１ａ〜１１ｄで囲んだ区画の二方向に開口部を形成し、これを出入口１３，１４となし、二つの出入口１３，１４を同時に閉じることができるように両出入口１３，１４間に連続する横引きシャッター１２を設け、横引きシャッター１２の移動経路にはガイド部材２０を設け、横引きシャッター１２の両端部１２ａ，１２ｂの点線で丸く囲んだ二箇所１８，１９に鍵を取り付け、室内に便器１６と洗面台１７が各一つずつ設けられている。
【００１０】
横引きシャッター１２は複数枚の縦スラットが連結されてなる湾曲自在なものであり、従来から慣用されている横引きシャッターが使用される。
またガイド部材２０も従来から慣用されているものが使用され、例えば、図４に示したように、壁１１の上方内面にブラケット２２がアンカー２１で固定され、このブラケット２２により上レール２７が保持され、この上レール２７内に複数のローラー２４が走行可能に配置され、これらのローラー２４が連結部材２３により一体に連結され、この連結部材２３に回動自在に枢着された吊り軸２５が下方に延ばされ、吊り軸２５が横引きシャッター１２の上端に連結されている。また床１５の上には、横引きシャッター１２の下端１２ｃに対向する位置にレール２６が敷設され、このレール２６には横引きシャッター下端１２ｃが嵌入可能な凹部２６が形成されている。以上のように、ガイド部材２０は横引きシャッター１２の上下に配置されて、その移動経路を構成する。
なお、ガイド部材２０は、図４に示したように、壁１１ｂ，１１ｃ，１１ｄや垂れ壁（図示せず）の内面に設けるか、あるいは内部に設けることができる。壁１１ｂ，１１ｃ，１１ｄや垂れ壁の内部にガイド部材２０を設ける場合には、壁１１ｂ，１１ｃ，１１ｄや垂れ壁の内部に空洞を形成し、この空洞部分にガイド部材２０を取り付けて、横引きシャッター１２を空洞部分に引き込んで移動させることができるように形成する。
【００１１】
横引きシャッター１２は、複数枚の縦スラットが連結されて湾曲自在に形成されたものであり、図１（ａ）のように、出入口１３から壁１１ｄの内部を通って出入口１４まで連続するような長さに形成され、二つの出入口１３，１４を同時に閉じることができるように構成されている。
この横引きシャッター１２は、その端部１２ａを図１（ａ）の矢印Ｌ方向にスライドさせると、図１（ｂ）のように横引きシャッター１２の端部１２ｂがガイド部材２０に沿って壁１１ｃ内に収納され、出入口１４が開く。逆に、横引きシャッター１２の端部１２ｂを図１（ａ）の矢印Ｒ方向にスライドさせると、図１（ｃ）のように横引きシャッター１２の端部１２ａがガイド部材２０に沿って壁１１ｂ内に収納され、出入口１３が開く。
【００１２】
以上のように、横引きシャッター１２は、出入口１３から壁１１ｄの内部を通って出入口１４まで連続するような長さに形成されたものであり、また横引きシャッター１２は、その移動経路がガイド部材２０で規制され、これ以外を移動できないようになっているので、例えば、図１（ａ）のように、二つの出入口１３，１４を同時に閉じるように横引きシャッター１２を配置し、横引きシャッター１２の両端部１２ａ，１２ｂのいずれか一方の鍵を施錠すれば、横引きシャッター１２はガイド部材２０に沿った移動が不可能になり、施錠されていない側の外部から開けようとしても、開けることができなくなる。また仮に、二方向出入型便所１０を使用するに際して、横引きシャッター１２の両端部１２ａ，１２ｂの鍵を両方とも施錠したとしても、ここから外に出るときには、いずれか一方の鍵でも施錠されていれば、横引きシャッター１２は動かず、したがって、外に出ることができないため、退出する方向とは逆側の出入口の施錠解除を忘れるといったことも起こり得ない。
【００１３】
図２（ａ）〜（ｅ）は二方向出入型便所１０の使用方法を示す説明図である。二方向出入型便所１０に、図中の左側から入る場合、図２（ａ）のように横引きシャッター１２をスライドさせて、出入口１４を開いて室内に入り、図２（ｂ）のように横引きシャッター１２の端部１２ａの鍵を施錠する。このとき、逆側の出入口１３では、横引きシャッター１２の端部１２ｂを施錠する必要がなく、図２（ｃ）のように出入口１３の外部で横引きシャッター１２を開けようとしても、横引きシャッター１２は閉ざされたままスライドしない。二方向出入型便所１０の使用後は、横引きシャッター１２の端部１２ａの鍵を解除して、図２（ｄ）のように横引きシャッター１２をスライドさせれば、出入口１４から室外に出ることができる。また図２（ｅ）のように、横引きシャッター１２をスライドさせて出入口１３を開けば、図中の右側から二方向出入型便所１０に入ることができる。
【００１４】
次に、図３は本発明の男女兼用型便所３０の平面図である。
男女兼用型便所３０は、四方を囲む壁３１のうち、一つの壁３１に開口３２が形成され、これらの壁３１で囲まれた内部に男子便所３６と女子便所３７とが配置されたものであって、男子便所３６と女子便所３７との中間には、少なくとも一つの便器４４，４５をそれぞれ備える小室４０Ａ，４０Ｂが配置され、これら小室４０Ａ，４０Ｂにより男子便所３６と女子便所３７とが仕切られ、各小室４０Ａ，４０Ｂには、男子便所３６と女子便所３７の二方向から別々に出入りができるように出入口４６ａ，４６ｂ，４７ａ，４７ｂが設けられている。
なお、前記男子便所３６には小便器３３や洗面台３４が設けられ、前記女子便所３７には洗面台３５が設けられている。
【００１５】
ここで、二つの小室４０Ａ，４０Ｂは、壁４１ａ〜４１ｄで囲まれて形成され、小室４０Ａの二方向の出入口４６ａ，４６ｂ間に連続するように横引きシャッター４２が設けられ、また小室４０Ｂの二方向の出入口４７ａ，４７ｂ間に連続するように横引きシャッター４３が設けられ、各横引きシャッター４２，４３の移動経路はそれぞれガイド部材（図示せず）により規制され、各横引きシャッター４２，４３は両方の出入口４６ａ，４６ｂ，４７ａ，４７ｂでそれぞれ施錠が可能なように鍵（図示せず）が設けられている。
また図３の男女兼用型便所３０における各横引きシャッター４２，４３及びガイド部材は、図１のものと同様に構成されたものであり、同様の作用や効果を有する。すなわち、各横引きシャッター４２，４３は、それぞれ二方向の出入口４６ａ，４６ｂ，４７ａ，４７ｂのうち、いずれか一方の鍵が施錠されているときには、たとえ、施錠されていない側の外部から力を加えても、開けることができない。また各小室４０Ａ，４０Ｂから外に出るときにも、いずれか一方の鍵が施錠されていれば、横引きシャッター４２，４３は動かすことができず、したがって、退出する方向とは逆側の出入口の施錠解除も忘れることがない。
【００１６】
本発明の男女兼用型便所３０では、男子便所３６と女子便所３７とを仕切るように中間に小室４０Ａ，４０Ｂが設けられ、各小室４０Ａ，４０Ｂには、男子便所３６、女子便所３７から別々に出入りができるように、それぞれ二方向の出入口４６ａ，４６ｂ，４７ａ，４７ｂが設けられているので、男性と女性が顔を合わせることなく、同じ便所ブース、すなわち小室４０Ａ，４０Ｂを共用することが可能になった。
【００１７】
【発明の効果】
本発明の二方向出入型便所では、横引きシャッターが二方向の出入口間に連続するように設けられ、横引きシャッターの移動経路はガイド部材により規制され、両方の出入口に鍵が設けられているので、いずれか一方の鍵が施錠されているだけで、横引きシャッターはガイド部材に沿った移動が不可能になり、したがって、施錠されていない側の外部から開けようとしても、開けることができず、室内から出るときにも必ず施錠解除がなされ、しかも、電気錠のように複雑かつ高価なシステムを必要としないため、メンテナンスの手間や施工コストも抑制することができる。
また本発明の男女兼用型便所では、男性区画と女性区画とを仕切るように中間に便所ブース、すなわち小室が設けられ、この小室に両区画から別々に出入りができるように二方向の出入口が設けられているので、男性と女性が顔を合わせることなく、同じ便所ブースを共用することが可能になった。また男女兼用型便所における小室には、横引きシャッターが二方向の出入口間に連続するように設けられ、横引きシャッターの移動経路はガイド部材により規制され、両方の出入口に鍵が設けられているので、上記本発明の二方向出入型便所と同様に、小室から外に出るときの鍵の解除忘れは確実に防止される。
【図面の簡単な説明】
【図１】本発明のニ方向出入型便所の平面図であり、（ａ）は二方向の出入口を閉鎖した状態、（ｂ）は一方の出入口を開いた状態、（ｃ）は他方の出入口を開いた状態を示している。
【図２】（ａ）〜（ｅ）は本発明のニ方向出入型便所の作用を説明するための図である。
【図３】本発明の男女兼用型便所の平面図である。
【図４】横引きシャッターの縦断面図である。
【図５】従来例を示す平面図である。
【図６】従来例の作用を説明するための図である。
【符号の説明】
１０　ニ方向出入型便所
１１ａ〜１１ｄ　壁
１２　横引きシャッター
１３，１４　出入口
１６　便器
２０　ガイド部材
３０　男女兼用型便所
４０Ａ，４０Ｂ　男女兼用ブース
４１ａ〜４１ｄ　壁
４２，４３　横引きシャッター
４４，４５　便器
４６ａ，４６ｂ　出入口
４７ａ，４７ｂ　出入口
【図１】
2004092137.tif 000003
【図２】
2004092137.tif 000004
【図３】
2004092137.tif 000005
【図４】
2004092137.tif 000006
【図５】
2004092137.tif 000007
【図６】
2004092137.tif 000008